(57)【要約】【課題】割方立方式カーテンウォール構造において、方立カバー材を不要としながらも、水密性の向上を図るとともに、美観の向上を図るようにする。【解決手段】方立２を長手方向に沿って左側分割方立２Ａと右側分割方立２Ｂとに分割し、これら左側分割方立２Ａと右側分割方立２Ｂと無目とからなる面材をユニットとして順次所定の壁面位置に取り付けるようにした割方立方式カーテンウォール構造１において、前記左側分割方立２Ａ及び右側分割方立２Ｂの内の一方側分割方立２Ａより延在させて室外側面に断面略Ｔ字状の見付けフランジ２ｅを形成し、他方側分割方立２Ｂの室外側端部を前記見付けフランジ２ｅの裏面側位置に接合するようにする。【選択図】  図３
2004285573.tif 000002
【特許請求の範囲】
【請求項１】
方立を長手方向に沿って左側分割方立と右側分割方立とに分割し、これら左側分割方立と右側分割方立と無目とからなる面材を架設ユニットとして、順次所定の壁面位置に取り付けるようにした割方立方式カーテンウォール構造において、
前記左側分割方立及び右側分割方立の内の一方側分割方立より延在させて室外側面に断面略Ｔ字状の見付けフランジを形成し、他方側分割方立の室外側端部を前記見付けフランジの裏面側位置に接合したことを特徴とする割方立方式カーテンウォール構造。
【請求項２】
前記一方側分割方立の室外側寄り位置に部材長手方向に沿ってピンポケットが形成され、縦方向に連続する一方側分割方立同士が前記ピンポケットに挿入されたピン部材によって相互に連結されている請求項１記載の割方立方式カーテンウォール構造。
【請求項３】
前記左側分割方立及び右側分割方立はそれぞれ、中間部分に段状部を有し、前記見付けフランジとにより側方に開口する凹部が形成され、一般部では前記凹部の室内側寄り位置に縦増縁が設置されてガラスが嵌合支持され、窓部では前記凹部に窓ユニットが嵌合支持されている請求項１、２いずれかに記載の割方立方式カーテンウォール構造。
【請求項４】
前記縦増縁は２分割構造とされ、単層ガラス及び複層ガラスの両者に対応可能とされる請求項３記載の割方立方式カーテンウォール構造。
【発明の詳細な説明】
【０００１】
【発明の属する技術分野】
本発明は、方立を左右に分割し、左側分割方立と右側分割方立と無目とでユニットを構成し、ユニット単位毎に架設を行うようにした割方立方式カーテンウォール構造に関する。
【０００２】
【従来の技術】
従来より、カーテンウォール方式の一つとして、割方立方式カーテンウォール構造が知られている。
【０００３】
この割方立方式カーテンウォール構造は、具体的には図９に示されるように、方立５０を長手方向に沿って左側分割方立５０Ａと右側分割方立５０Ｂとに分割し、これら左側分割方立５０Ａと右側分割方立５０Ｂと無目５１、５１とからなる面材を架設ユニットとして順次所定の壁面位置に取り付けた後、前記左側分割方立５０Ａと右側分割方立５０Ｂとの室外側寄り位置に形成されたガラス嵌合凹部５２にガラスＧを嵌合支持させるようにするものである。また、前記左側分割方立５０Ａと右側分割方立５０Ｂとの接合部にはタイト材５３が設けられ、水密性が確保されるようになっているが、前記縦目地のタイト材５３のみでは長期に亘り完全な水密性を期待することは困難であるとともに、縦目地が外部に露出するため美観が悪いなどの問題があったため、縦目地部の水密性をより一層向上させるとともに、美観向上のために、方立の室外面部分にカバー用支持材５４を取付け、これを支持材として方立カバー材５５を設けるようにしている。
【０００４】
【発明が解決しようとする課題】
しかしながら、前述した割方立方式カーテンウォール構造の場合には、方立カバー材が別途必要となり、この施工手間が余分に掛かるとともに、製品コストもその分増大するという問題がある。また、窓部においては、カーテンウォールの断面形状を一般部（ＦＩＸ部）とは異なるものとせざるを得ず、方立部材を供用できないため資材の無駄が生じるなどの問題もある。
【０００５】
そこで本発明の第１の課題は、方立カバー材を不要としながらも、水密性の向上を図ることができるとともに、美観の向上を図った割方立方式カーテンウォール構造を提供することにある。
【０００６】
第２の課題は、上記第１課題に加えて、窓部においても一般部と同様の方立部材を供用可能とした割方立方式カーテンウォール構造を提供することにある。
【０００７】
【課題を解決するための手段】
前記第１課題を解決するために請求項１に係る本発明として、方立を長手方向に沿って左側分割方立と右側分割方立とに分割し、これら左側分割方立と右側分割方立と無目とからなる面材を架設ユニットとして、順次所定の壁面位置に取り付けるようにした割方立方式カーテンウォール構造において、
前記左側分割方立及び右側分割方立の内の一方側分割方立より延在させて室外側面に断面略Ｔ字状の見付けフランジを形成し、他方側分割方立の室外側端部を前記見付けフランジの裏面側位置に接合したことを特徴とする割方立方式カーテンウォール構造が提供される。
【０００８】
上記請求項１記載の本発明においては、一方側の分割方立より延在させて室外側面に断面略Ｔ字状の見付けフランジを形成するようにし、他方側の分割方立の室外側端部を前記見付けフランジの裏面側位置に接合するようにした。従って、方立カバー材を設けなくても、分割方立の接合部が見付けフランジの裏面に隠れるため、高い水密性を確保することが可能になる。また、前記見付けフランジによって縦目地も隠れるため、美観の向上が図れるようになる。更には、方立部材の剛性が大きくなり、強度が向上するようになる。
【０００９】
請求項２に係る本発明として、前記一方側分割方立の室外側寄り位置に部材長手方向に沿ってピンポケットが形成され、縦方向に連続する一方側分割方立同士が前記ピンポケットに挿入されたピン部材によって相互に連結されている請求項１記載の割方立方式カーテンウォール構造が提供される。本カーテンウォール構造では、見付けフランジが室外に露出する構造となるため、この通り芯を確保しなれば見栄えの悪いものとなる。従って、請求項２記載の本発明では、見付けフランジが形成された分割方立側にピンポケットを設けておき、縦方向に連続する分割方立同士をピン部材によって連結するようにしたため、確実に通り芯を確保できるようになる。
【００１０】
前記第２課題を解決するために請求項３に係る本発明として、前記左側分割方立及び右側分割方立はそれぞれ、中間部分に段状部を有し、前記見付けフランジとにより側方に開口する凹部が形成され、一般部では前記凹部の室内側寄り位置に縦増縁が設置されてガラスが嵌合支持され、窓部では前記凹部に窓ユニットが嵌合支持されている請求項１、２いずれかに記載の割方立方式カーテンウォール構造が提供される。
【００１１】
上記請求項３記載の本発明では、窓部においても一般部と同様の方立部材を供用可能としたため、窓部の施工性が向上するとともに、資材の無駄を無くしコスト削減を図れるようになる。
【００１２】
請求項４に係る本発明として、前記縦増縁は２分割構造とされ、単層ガラス及び複層ガラスの両者に対応可能とされる請求項３記載の割方立方式カーテンウォール構造が提供される。縦増縁を２分割構造とし、単層ガラスの場合には２つの縦増縁を使用して単層ガラスに合ったガラス嵌合溝幅とし、複層ガラスの場合には一方の縦増縁のみを使用することにより複層ガラスに合ったガラス嵌合溝幅とすることが可能となる。
【００１３】
【発明の実施の形態】
以下、本発明の実施の形態について図面を参照しながら詳述する。
【００１４】
〔カーテンウォールの基本構造〕
図１は本発明に係る割方立方式カーテンウォール構造１の正面図であり、図２は図１のＩＩ−ＩＩ線矢視図、図３は図１のＩＩＩ−ＩＩＩ線矢視図である。
【００１５】
割方立方式カーテンウォール構造１は、主に図３に示されるように、方立２が長手方向に沿って左側分割方立２Ａと右側分割方立２Ｂとに分割され、これら左側分割方立２Ａと右側分割方立２Ｂと無目３，３とからなる面材を架設ユニットとして順次所定の壁面位置に取り付けるようにしたものである。
【００１６】
前記左側分割方立２Ａと右側分割方立２Ｂとは、両者が組み合わされた状態では、相対的に室内側位置に略方形断面を成す方立枠部２１が形成され、相対的に室外側位置に窓枠部２２が形成されるようになっている。
【００１７】
前記左側分割方立２Ａは、室内側端部に係合突片２ａが形成されるとともに、その隣接位置に断面Ｌ字状の突片２ｂが形成され、中間部に段状部２ｃが形成され、さらに段状部２ｃから室外側に延びる窓枠壁２ｄの室外側に断面略Ｔ字状の見付けフランジ２ｅが形成された部材である。また、前記段状部２ｃの室内側位置にはリップ状溝２ｊが形成されるとともに、前記見付けフランジ２ｅの裏面側位置には部材長手方向に沿ってピンポケット２ｌが形成された突部２ｋが形成されている。
【００１８】
一方、右側分割方立２Ｂは室内側端部に係合溝部２ｆが形成されるとともに、中間部に段状部２ｇが形成され、さらに段状部２ｇから室外側に延びる窓枠壁２ｈの室外側端部に断面Ｌ字状の接合部２ｉが形成された部材である。また、前記段状部２ｇの室内側位置にはリップ状溝２ｍが形成されている。
【００１９】
前記左側分割方立２Ａと右側分割方立２Ｂとは、同図に示されるように、室内側位置においては左側分割方立２Ａの係合突片２ａが右側分割方立２Ｂの係合溝部２ｆに嵌合され、室外側位置においては、前記見付けフランジ２ｅの裏面側位置にて、左側分割方立２Ａの突部２ｋに右側分割方立２Ｂの接合部２ｉが係合した状態で組み合わされている。前記左側分割方立２Ａと右側分割方立２Ｂとの接合部にはそれぞれタイト材４，４が配設され、水密性が確保されるようになっている。
【００２０】
また、前記左側分割方立２Ａと右側分割方立２Ｂの段状部２ｃ，２ｇと、前記見付けフランジ２ｅとの間に側方に開口する凹部Ｓ、Ｓが形成され、一般部では前記凹部Ｓ、Ｓの室内側寄り位置に、前記リップ状溝２ｊ、２ｍに一端を係止させて第１縦増縁５Ａがビス６により設置されるとともに、この第１縦増縁５Ａに連結された第２縦増縁５Ｂによりガラス嵌合溝Ｍが形成されるようになっている。前記ガラス嵌合溝Ｍにおいて、単層ガラスＧが嵌め込まれ、周縁に沿って表裏面側にそれぞれ設置されたバックアップ材７及びシール材８により支持されるようになっている。また、各階毎に前記見付けフランジ２ｅの裏面側開口はシール材１６，１７によって封鎖されるようになっている。このシール材１６，１７の内、左側分割方立２Ａ側のシール材１６については工場施工とし、右側分割方立２Ｂ側のシール材１７について現場施工とされる。
【００２１】
一方、無目３は、図２に示されるように、相対的に室内側に位置する第１中空部３Ａの室外側面に連続して第２中空部３Ｂが形成され、この第２中空部３Ｂの室外側面から上段側水平突片３ａと、下段側垂下片３ｂとが形成された部材であり、前記上段側水平突片３ａに取り付けられた横押縁１０と、前記第１中空部３Ａの上部側に取り付けられた第１横増縁９とにより上段側ガラス嵌合溝ＭＵが形成され、前記下段側垂下片３ｂと第１中空部３Ａの下部側に取り付けられた第２横増縁１１とにより下段側ガラス嵌合溝ＭＬが形成されている。単層ガラスＧは、セッティングブロック１２を設置した状態で、ガラス嵌合溝ＭＵ、ＭＬにおいて、周縁に沿って表裏面側にそれぞれ設置されたバックアップ材７及びシール材８により支持されるようになっている。なお、前記無目３の室内側には膳板１３が設けられ、更にその室内側に額縁１４が設けられている。
【００２２】
〔方立支持部〕
前記方立２の支持部は、図４に示されるように、躯体Ｈの端部にアンカー金物２０が埋設固定されるとともに、このアンカー金物２０にファスナー２１が固定され、前記ファスナー２１にボルト・ナット２２により断面Ｌ字状部材２３、２３が左右対で取り付けられ、これら断面Ｌ字状部材２３，２３の突出フランジ２３ａ、２３ａが方立２の外側面にそれぞれあてがわれ、方立２の方立枠部２１内に挿入されたインナー補強材２４，２４を間に介してボルト・ナット２５により締結し固定されるようになっている。
【００２３】
この際、縦方向に連続する方立２、２の接続部位においては、図５に示されるように、相対的に下段に位置する左側分割方立２Ａのピンポケット２ｌに対して、下半分にローレット掛け等による滑り止め加工が施されたピン部材２６を圧入し、前記ピン部材２６の上半分を上段側に位置する左側分割方立２Ａのピンポケット２ｌに挿入することにより、左側分割方立２Ａ、２Ａ…の縦方向の通り芯が確保されるようになっている。
【００２４】
（複層ガラスへの対応）
上記カーテンウォール構造は単層ガラスの例であるが、本カーテンウォール構造の場合は、複層ガラスへの対応も容易に可能となっている。前記縦増縁は第１縦増縁５Ａと、第２縦増縁５Ｂとからなる２分割構造となっているため、図６に示されるように、第２縦増縁５Ｂの取付けを省略することにより、ガラス嵌合溝Ｍを複層ガラスＧ、Ｇに対応した溝幅とできるようになっている。
【００２５】
（窓部への対応）
本カーテンウォール構造の窓部においては、方立２を一般部（ＦＩＸ部）と共通としながら、窓ユニット１５をそのまま嵌合設置できる構造となっている。
【００２６】
すなわち、本カーテンウォール構造においては、凹部Ｓが窓ユニット１５を嵌合可能な寸法とされ、一般部（ＦＩＸ部）では第１及び第２縦増縁５Ａ、５Ｂを追加することにより、正規のガラス嵌合溝Ｍとなるようにしているが、窓部では図７に示されるように、前記第１及び第２縦増縁５Ａ、５Ｂを設けず、凹部Ｓ、Ｓに対して、窓ユニット１５を設置するようになっている。なお、前記窓ユニット１５の室外側面と見付けフランジ２ｅの裏面との間にはチューブ状のタイト材１８が圧入され、左側分割方立２Ａのリップ状溝２ｊ、右側分割方立２Ｂのリップ状溝２ｍにそれぞれ設置されたタイト材１９が窓枠裏面に接触することによって気水密性が確保されるようになっている。
【００２７】
（その他の実施形態例）
（１）図８に示されるように、縦押縁５は単一部材とし、かつ方立２の方立枠部２１の外側面と面一となるように設置し、方立２部分の幅が見付けフランジ２ｅまで均一となるようにしてもよい。
【００２８】
【発明の効果】
以上詳説のとおり本発明によれば、方立カバー材を不要としながらも、水密性の向上を図り、かつ美観を向上させることができる。また、窓部においても一般部と同様の方立部材を供用可能としたため、窓部の施工が容易になるとともに、資材の無駄を無くし製作コストの削減を図り得るようになる。
【図面の簡単な説明】
【図１】本発明に係る割方立方式カーテンウォール１の正面図である。
【図２】カーテンウォールの縦断面図（図１のＩＩ−ＩＩ線矢視図）である。
【図３】カーテンウォールの横断面図（図１のＩＩＩ−ＩＩＩ線矢視図）である。
【図４】方立支持部の平面図である。
【図５】左側分割方立の通り芯を確保するためのピン２６の設置要領図である。
【図６】複層ガラスへの対応要領を示す横断面図である。
【図７】窓部ユニットの設置状態を示す横断面図である。
【図８】他の縦増縁設置例を示す横断面図である。
【図９】従来の割方立方式カーテンウォール構造を示す横断面図である。
【符号の説明】
１…割方立方式カーテンウォール構造、２…方立、２Ａ…左側分割方立、２Ｂ…右側分割方立、２ｅ…見付けフランジ、２ｌ…ピンポケット、３…無目、５Ａ…第１縦増縁、５Ｂ…第２縦増縁、Ｓ…凹部、１５…窓ユニット
【図１】
2004285573.tif 000003
【図２】
2004285573.tif 000004
【図３】
2004285573.tif 000005
【図４】
2004285573.tif 000006
【図５】
2004285573.tif 000007
【図６】
2004285573.tif 000008
【図７】
2004285573.tif 000009
【図８】
2004285573.tif 000010
【図９】
2004285573.tif 000011